(57)【要約】【課題】  飲料ボトルが口を下側にして冷却室に傾倒収納された状態で、手動開閉式バルブの開成によって飲料供給を行う飲料供給機に関し、従来のものは、ボトルの飲料がリザーブタンクへ供給され、リザーブタンクに接続した注出バルブを開いてリザーブタンクの水頭圧によて冷水を注出するが、構造的に複雑化するため、本発明はリザーブタンクを設けず、飲料ボトルの出し入れがし易く、飲料ボトルの冷却に適した冷却室の構成、手動開閉式バルブ体が冷却室外に臨む部分の冷気漏れ防止構造、冷却室と開閉扉との関係を考慮した冷気漏れ防止構造、飲料取り出し時に垂れる飲料や手動開閉式バルブ周囲や冷却室内に生じた結露水の水受け皿を設け、この水受け皿内の水を強制蒸発させる構成を提供する。【解決手段】冷却室外に露出した飲料取り出し口部分から落下する水滴を受ける水受け皿を備え、冷却室内の水滴を冷却室の排水口から水受け皿へ導入する排水管を設け、冷却室を冷却する冷却器と水受け皿の水を加温蒸発させる放熱器を設けたこと。【選択図】図１
2009154917.tif 000002
【特許請求の範囲】
【請求項１】
ＰＥＴ製等のボトル容器に飲料を収容した飲料ボトルが口を下側にし底を後方に位置させた状態で冷却室に傾倒収納され、前記飲料ボトルの口に取り付けた手動開閉式バルブ体の開成操作によって前記冷却室外に露出した飲料取り出し口から飲料供給が行われ、前記飲料取り出し口部分から落下する水滴を受ける水受け皿を備えた飲料供給機であって、前記冷却室内の水滴を前記冷却室の排水口から前記水受け皿へ導入する排水管を設け、前記冷却室を冷却する冷却器と、前記水受け皿の水を加温蒸発させる放熱器を設けたことを特徴とする飲料供給機。
【請求項２】
ＰＥＴ製等のボトル容器に飲料を収容した飲料ボトルが口を下側にし底を後方に位置させた状態で冷却室に傾倒収納され、前記飲料ボトルの口に取り付けた手動開閉式バルブ体の開成操作によって前記冷却室外に露出した飲料取り出し口から飲料供給が行われ、前記飲料取り出し口部分から落下する水滴を受ける水受け皿を備えた飲料供給機であって、前記冷却室内の水滴を前記冷却室の排水口から前記水受け皿へ導入する排水管を設け、前記冷却室を冷却する冷却器と前記水受け皿の水を加温蒸発させる放熱器を有する冷却装置を組み込んだことを特徴とする飲料供給機。
【請求項３】
ＰＥＴ製等のボトル容器に飲料を収容した飲料ボトルが口を下側にし底を後方に位置させた状態で冷却室に傾倒収納され、前記飲料ボトルの口に取り付けた手動開閉式バルブ体の開成操作によって前記冷却室外に露出した飲料取り出し口から飲料供給が行われ、前記飲料取り出し口部分から落下する水滴を受ける水受け皿を備えた飲料供給機であって、前記冷却室内の水滴を前記水受け皿へ導入する排水管を設け、前記冷却室は、前側が前記飲料ボトルの収納取り出し用扉で覆われ下部に前記手動開閉式バルブ体の挿入部を備え前記挿入部に前記手動開閉式バルブ体が挿入された状態で前記飲料ボトルが後方へ傾倒状態で収納される断熱構成であり、前記冷却室内の水滴を前記冷却室の排水口から前記水受け皿へ導入する排水管を設け、前記冷却室の後側に冷却装置が配置され、前記冷却装置は、圧縮機で圧縮した冷媒が放熱器で放熱し減圧部で減圧され前記冷却室を冷却する冷却器で蒸発した後再び前記圧縮機へ帰還する冷媒サイクルを構成し、前記放熱器によって前記水受け皿の水を加温蒸発させることを特徴とする飲料供給機。
【請求項４】
ＰＥＴ製等のボトル容器に飲料を収容した飲料ボトルが口を下側にし底を後方に位置させた状態で冷却室に傾倒収納され、前記飲料ボトルの口に取り付けた手動開閉式バルブ体の開成操作によって前記冷却室外に露出した飲料取り出し口から飲料供給が行われ、前記飲料取り出し口部分から落下する水滴を受ける水受け皿を備えた飲料供給機であって、前記冷却室は、前側が前記飲料ボトルの収納取り出し用扉で覆われ下部に前記手動開閉式バルブ体の挿入部を備え前記挿入部に前記手動開閉式バルブ体が挿入された状態で前記飲料ボトルが後方へ傾倒状態で収納される傾斜をなすと共に前記手動開閉式バルブ体の挿入部から後方に向かって前記飲料ボトルの肩部を受け止める受け部を形成した断熱構成であり
前記飲料ボトルの肩部に対応して前記冷却室の底部に形成した排水口に前記冷却室の結露
水を前記水受け皿へ導入する排水管が連設され、前記冷却室の後側には冷却装置が配置さ
れ、前記冷却装置は、圧縮機で圧縮した冷媒が放熱器で放熱し減圧部で減圧され前記冷却
室を冷却する冷却器で蒸発した後再び前記圧縮機へ帰還する冷媒サイクルを構成し、前記
放熱器によって前記水受け皿の水を加温蒸発させることを特徴とする飲料供給機。
【請求項５】
前記冷却器は、前記冷却室に傾倒収納された前記飲料ボトルを包むように前記飲料ボト
ルの外形に近似した表側の冷却面が前記冷却室に露出し後側が断熱材で覆われたことを特
徴とする請求項１乃至４のいずれかに記載の飲料供給機。
【請求項６】
前記扉で開放される前記冷却室部分は傾倒収納された前記飲料ボトルの略半分の後側部
分を包むように前記飲料ボトルの外形に近似した前側開放の縦長形態をなすと共に傾倒収
納された前記飲料ボトルの略半分の前側部分を前記扉が包む形態であり、前記冷却器は前
記飲料ボトルの後側部分を包むように前記飲料ボトルの外形に近似した冷却面が前記冷却
室に露出し後側が断熱材で覆われたことを特徴とする請求項１乃至３のいずれかに記載の
飲料供給機。
【請求項７】
前記冷却室は、傾倒収納された前記飲料ボトルの略半分の後側部分を包むように前記飲
料ボトルの外形に近似した前側開放の縦長形態をなす飲料供給機本体側と、傾倒収納され
た前記飲料ボトルの略半分の前側部分を前記扉が包む縦長形態をなす扉側とで前記飲料ボ
トル１個を収納する容積の縦長形態をなし、前記冷却器は前記飲料ボトルの後側部分を包
むよう前記飲料ボトルの外形に近似した冷却面が前記冷却室に露出し後側が断熱材で覆わ
れたことを特徴とする請求項１乃至３のいずれかに記載の飲料供給機。
【請求項８】
前記冷却室は、傾倒収納された前記飲料ボトルの略半分の後側部分を包むように前記飲
料ボトルの外形に近似した前側開放の縦長形態をなす飲料供給機本体側と、傾倒収納され
た前記飲料ボトルの略半分の前側部分を前記扉が包む縦長形態をなす扉側とで前記飲料ボ
トル１個を収納する容積の縦長形態をなすと共に、前記手動開閉式バルブ体の挿入部が前
記飲料供給機本体側と前記扉側とで二分され、前記冷却器は前記飲料ボトルの後側部分を
包むように前記飲料ボトルの外形に近似した冷却面が前記冷却室に露出した状態で断熱材
で覆われ、前記冷却室の飲料供給機本体側には、前記手動開閉式バルブ体の挿入部の後方
部に前記飲料ボトルの肩部を受け止める受け部を形成したことを特徴とする請求項１乃至
３のいずれかに記載の飲料供給機。
【請求項９】
前記冷却室の後側に、予備の飲料ボトルを略垂直状態に収納する予備冷却室を設け、前
記扉によって前記冷却室の前側開口と前記予備冷却室の上面開口が開閉自在に閉じられた
ことを特徴とする請求項１乃至８のいずれかに記載の飲料供給機。
【発明の詳細な説明】
【技術分野】
【０００１】
本発明は、ＰＥＴ製等のボトル容器に飲料を収容した飲料ボトルが口を下側にして冷却室に傾倒収納された状態で、飲料ボトルの口に取り付けた手動開閉式バルブの開成によって飲料供給が行われる飲料供給機に関する。
【背景技術】
【０００２】
飲料水を収容したボトル６が口を下側にして上部空間４に斜めに収納され、この飲料水
を供給するものがある。これは、ボトル６がエバポレータ５に重力によって押し付けられ
るようになっており、上部空間４にはボトル６の出し入れ用の断熱性上部扉１ｂが設けら
れ、上部扉１ｂは、ボトル６内の飲料の残量が見えるようにその一部がガラスになってい
る。そして、ボトル６の口は、リザーブタンク８に臨み、ボトル６の口がリザーブタンク
８の水面と接触して塞がれる状態まで、ボトル６からリザーブタンク８へ飲料が供給され
る。
【０００３】
ボトル６からリザーブタンク８へ飲料が供給される仕組みは、ボトル６の口のキャップ
に設けたバネ付勢されたバルブ４２が、リザーブタンク８内のピン４８によって上方へ押
されることによってバルブ４２が開くようになっている。リザーブタンク８の飲料は、リ
ザーブタンク８に接続した注出バルブ９を開くことによって、リザーブタンク８の水頭圧
によって冷水が注出されるようになっている。注出バルブ９の下方には、供給時のこぼれ
る飲料水を受けるドリップパン１０が設けられている。（特許文献１参照）。
【特許文献１】特開２００６−３２７５９３号公報
【発明の開示】
【発明が解決しようとする課題】
【０００４】
この従来技術のものは、ボトル６の飲料がリザーブタンク８へ供給され、このリザーブ
タンク８の飲料が、リザーブタンク８に接続した注出バルブ９を開くことによって、リザ
ーブタンク８の水頭圧によって冷水が注出されるようになっている。このため、ボトル６
の飲料のみならずリザーブタンク８の飲料も冷却状態に保つ必要があり、構造的に複雑化
する。
【０００５】
本発明は、このようなリザーブタンク８を設けず、ＰＥＴ製等のボトル容器に飲料を収容した飲料ボトルの口に手動開閉式バルブを取り付けた状態とし、この飲料ボトルの口を下側にして冷却室に傾倒収納することによって、前記手動開閉式バルブが冷却室外に配置され、この手動開閉式バルブの開成によって飲料供給が行われるようにする飲料供給機を提供するものである。その場合、特に、飲料ボトルの出し入れがし易く且つ飲料ボトルの冷却に適した冷却室の構成、また手動開閉式バルブが冷却室外に臨む部分の冷気漏れ防止構造の提供、また冷却室と冷却室の前側を開閉する扉との関係を考慮した冷気漏れ防止構造の提供、また飲料取り出し時に垂れる飲料や、手動開閉式バルブ周囲や冷却室内に生じた結露水を受ける水受け皿を設け、この水受け皿内の水を強制蒸発させる構成等を提供するものである。
【課題を解決するための手段】
【０００６】
第１発明の飲料供給機は、ＰＥＴ製等のボトル容器に飲料を収容した飲料ボトルが口を下側にし底を後方に位置させた状態で冷却室に傾倒収納され、前記飲料ボトルの口に取り付けた手動開閉式バルブ体の開成操作によって前記冷却室外に露出した飲料取り出し口から飲料供給が行われ、前記飲料取り出し口部分から落下する水滴を受ける水受け皿を備えた飲料供給機であって、前記冷却室内の水滴を前記冷却室の排水口から前記水受け皿へ導入する排水管を設け、前記冷却室を冷却する冷却器と、前記水受け皿の水を加温蒸発させる放熱器を設けたことを特徴とする。
【０００７】
第２発明の飲料供給機は、ＰＥＴ製等のボトル容器に飲料を収容した飲料ボトルが口を下側にし底を後方に位置させた状態で冷却室に傾倒収納され、前記飲料ボトルの口に取り付けた手動開閉式バルブ体の開成操作によって前記冷却室外に露出した飲料取り出し口から飲料供給が行われ、前記飲料取り出し口部分から落下する水滴を受ける水受け皿を備えた飲料供給機であって、前記冷却室内の水滴を前記冷却室の排水口から前記水受け皿へ導入する排水管を設け、前記冷却室を冷却する冷却器と前記水受け皿の水を加温蒸発させる放熱器を有する冷却装置を組み込んだことを特徴とする。
【０００８】
第３発明の飲料供給機は、  ＰＥＴ製等のボトル容器に飲料を収容した飲料ボトルが口を下側にし底を後方に位置させた状態で冷却室に傾倒収納され、前記飲料ボトルの口に取り付けた手動開閉式バルブ体の開成操作によって前記冷却室外に露出した飲料取り出し口から飲料供給が行われ、前記飲料取り出し口部分から落下する水滴を受ける水受け皿を備えた飲料供給機であって、前記冷却室内の水滴を前記水受け皿へ導入する排水管を設け、前記冷却室は、前側が前記飲料ボトルの収納取り出し用扉で覆われ下部に前記手動開閉式バルブ体の挿入部を備え前記挿入部に前記手動開閉式バルブ体が挿入された状態で前記飲料ボトルが後方へ傾倒状態で収納される断熱構成であり、前記冷却室内の水滴を前記冷却室の排水口から前記水受け皿へ導入する排水管を設け、前記冷却室の後側に冷却装置が配置され、前記冷却装置は、圧縮機で圧縮した冷媒が放熱器で放熱し減圧部で減圧され前記冷却室を冷却する冷却器で蒸発した後再び前記圧縮機へ帰還する冷媒サイクルを構成し、前記放熱器によって前記水受け皿の水を加温蒸発させることを特徴とする。
【０００９】
第４発明の飲料供給機は、  ＰＥＴ製等のボトル容器に飲料を収容した飲料ボトルが口を下側にし底を後方に位置させた状態で冷却室に傾倒収納され、前記飲料ボトルの口に取り付けた手動開閉式バルブ体の開成操作によって前記冷却室外に露出した飲料取り出し口から飲料供給が行われ、前記飲料取り出し口部分から落下する水滴を受ける水受け皿を備えた飲料供給機であって、前記冷却室は、前側が前記飲料ボトルの収納取り出し用扉で覆われ下部に前記手動開閉式バルブ体の挿入部を備え前記挿入部に前記手動開閉式バルブ体が挿入された状態で前記飲料ボトルが後方へ傾倒状態で収納される傾斜をなすと共に前記手動開閉式バルブ体の挿入部から後方に向かって前記飲料ボトルの肩部を受け止める受け部を形成した断熱構成であり、前記飲料ボトルの肩部に対応して前記冷却室の底部に形成した排水口に前記冷却室の結露水を前記水受け皿へ導入する排水管が連設され、前記冷却室の後側には冷却装置が配置され、前記冷却装置は、圧縮機で圧縮した冷媒が放熱器で放熱し減圧部で減圧され前記冷却室を冷却する冷却器で蒸発した後再び前記圧縮機へ帰還する冷媒サイクルを構成し、前記放熱器によって前記水受け皿の水を加温蒸発させることを特徴とする。
【００１０】
第５発明の飲料供給機は、第１発明乃至第４発明のいずれかにおいて、前記冷却器は、
前記冷却室に傾倒収納された前記飲料ボトルの後側部分を包むように前記飲料ボトルの外
形に近似した表側の冷却面が前記冷却室に露出し後側が断熱材で覆われたことを特徴とす
る。
【００１１】
第６発明の飲料供給機は、第１発明乃至第４発明のいずれかにおいて、前記扉で開放さ
れる前記冷却室部分は傾倒収納された前記飲料ボトルの略半分の後側部分を包むように前
記飲料ボトルの外形に近似した前側開放の縦長形態をなすと共に傾倒収納された前記飲料
ボトルの略半分の前側部分を前記扉が包む形態であり、前記冷却器は前記飲料ボトルの後
側部分を包むように前記飲料ボトルの外形に近似した冷却面が前記冷却室に露出し後側が
断熱材で覆われたことを特徴とする。
【００１２】
第７発明の飲料供給機は、第１発明乃至第４発明のいずれかにおいて、前記冷却室は、
傾倒収納された前記飲料ボトルの略半分の後側部分を包むように前記飲料ボトルの外形に
近似した前側開放の縦長形態をなす飲料供給機本体側と、傾倒収納された前記飲料ボトル
の略半分の前側部分を前記扉が包む縦長形態をなす扉側とで前記飲料ボトル１個を収納す
る容積の縦長形態をなし、前記冷却器は前記飲料ボトルの後側部分を包むよう前記飲料ボ
トルの外形に近似した冷却面が前記冷却室に露出し後側が断熱材で覆われたことを特徴と
する。
【００１３】
第８発明の飲料供給機は、第１発明乃至第４発明のいずれかにおいて、前記冷却室は、
傾倒収納された前記飲料ボトルの略半分の後側部分を包むように前記飲料ボトルの外形に
近似した前側開放の縦長形態をなす飲料供給機本体側と、傾倒収納された前記飲料ボトル
の略半分の前側部分を前記扉が包む縦長形態をなす扉側とで前記飲料ボトル１個を収納す
る容積の縦長形態をなすと共に、前記手動開閉式バルブ体の挿入部が前記飲料供給機本体
側と前記扉側とで二分され、前記冷却器は前記飲料ボトルの後側部分を包むように前記飲
料ボトルの外形に近似した冷却面が前記冷却室に露出した状態で断熱材で覆われ、前記冷
却室の飲料供給機本体側には、前記手動開閉式バルブ体の挿入部の後方部に前記飲料ボト
ルの肩部を受け止める受け部を形成したことを特徴とする。
【００１４】
第９発明の飲料供給機は、第１発明乃至第８発明のいずれかにおいて、前記冷却室の後
側に、予備の飲料ボトルを略垂直状態に収納する予備冷却室を設け、前記扉によって前記
冷却室の前側開口と前記予備冷却室の上面開口が開閉自在に閉じられたことを特徴とする
。
【発明の効果】
【００１５】
第１発明の飲料供給機は、飲料ボトルが冷却室に傾倒収納された状態で、その口に取り
付けた手動開閉式バルブ体の飲料取り出し口が冷却室外に露出した状態であり、飲料取り
出し口部分から落下する水滴を受ける水受け皿へ冷却室内の水滴が導入されるようにして
いるため、冷却室内へ収容された飲料ボトルの外周に付着する水滴や冷却室内壁に付着し
た水滴は、前記水受け皿へ導入されるため、冷却室内を良好な状態に保つことができる。
そして、この水受け皿へ溜まった水は、冷却装置の放熱器によって加温蒸発するため、通
使用状態では水受け皿の水が溢れることもなく、水受け皿の排水の手間が省けると共に、
水受け皿を衛生的に維持することに適するものとなる。
【００１６】
第２発明の飲料供給機は、飲料ボトルが冷却室に傾倒収納された状態で、その口に取り
付けた手動開閉式バルブ体の飲料取り出し口が冷却室外に露出した状態であり、飲料取り
出し口部分から落下する水滴を受ける水受け皿へ冷却室内の水滴が導入されるようにして
いるため、冷却室内へ収容された飲料ボトルの外周に付着する水滴や冷却室内壁に付着し
た水滴は、前記水受け皿へ導入されるため、冷却室内を良好な状態に保つことができる。
そして、この水受け皿へ溜まった水は、冷却装置の放熱器によって加温蒸発するため、通
使用状態では水受け皿の水が溢れることもなく、水受け皿の排水の手間が省けると共に、
水受け皿を衛生的に維持することに適するものとなる。
【００１７】
第３発明は、第２発明の効果に加えて、飲料ボトルが後方へ傾倒状態で収納される断熱
構成の冷却室の後方空間に、圧縮機、冷却器及び水受け皿の水を加温蒸発させる放熱器を
含む冷却装置が配置されることにより、飲料供給機のコンパクト化が図れるものとなる。
【００１８】
第４発明は、第３発明の効果に加えて、冷却室に収容した飲料ボトルの肩部に対応する
部分が冷却室の底部となるように冷却室を形成すれば、飲料ボトルの肩部とその斜め上方
後部が冷却室に載置されることとなり、冷却室に安定した傾倒状態に収納できる。そして
、このような構成において、冷却室の結露水の排水口を冷却室に収容した飲料ボトルの肩
部に対応する部分に形成すれば、冷却室の結露水を水受け皿へ良好に排水できるものとな
る。
【００１９】
第５発明は、第２発明乃至第４発明の効果に加えて、冷却器の冷却面が、飲料ボトルの
外形に近似した形状で冷却室に露出しており、その後側が断熱材で覆われているため、冷
却室に収容された飲料ボトルを冷却器によって安定に支持できると共に、その支持状態で
もって飲料ボトルを広い面から直接冷却できるものとなる。
【００２０】
第６発明は、冷却室に傾倒収納された飲料ボトルの略半分の前側部分を扉が包む形態と
することにより、冷却室を広く開放できるため、扉を開いて行なう冷却室への飲料ボトル
の出し入れがし易くなる。そして、冷却器は飲料ボトルの後側部分を包むように飲料ボト
ルの外形に近似した冷却面を形成しているため、第４発明の効果と同様に効果を奏するこ
とができる。
【００２１】
第７発明では、第２発明乃至第４発明の効果に加えて、冷却室は、傾倒収納された飲料
ボトルの略半分の後側部分を包む飲料供給機本体側と飲料ボトルの略半分の前側部分を包
む扉側とで構成され、その容積が飲料ボトル１個を収納する縦長形態をなし、冷却器が飲
料ボトルの後側部分を包む外形形状であるため、コンパクトな冷却室でもって、飲料ボト
ルを冷却器によって安定に支持できると共に、その支持状態でもって飲料ボトルを広い面
から直接冷却できるものとなる。
【００２２】
第８発明では、第２発明乃至第４発明の効果に加えて、冷却室は、傾倒収納された飲料
ボトルの略半分の後側部分を包む飲料供給機本体側と飲料ボトルの略半分の前側部分を包
む扉側とで構成され、その容積が飲料ボトル１個を収納する縦長形態をなし、冷却器が飲
料ボトルの後側部分を包む外形形状であるため、冷却室を広く開放できるため、扉を開い
て行なう冷却室への飲料ボトルの出し入れがし易くなる。また挿入部におけるパッキンに
よる冷気漏れ防止が飲料供給機本体側と扉側で略半分ずつ受け持つことにより、扉の開閉
もし易いものとなる。また、コンパクトな冷却室でもって、飲料ボトルを冷却器によって
安定に支持できると共に、その支持状態でもって飲料ボトルを広い面から直接冷却できる
ものとなる。そして、手動開閉式バルブ体の挿入部の後方部に飲料ボトルの肩部を受け止
める受け部を形成したことにより、この受け部によって、冷却室に傾倒収納された飲料ボ
トルの斜め下方にかかる荷重を受けることができ、安定支持が達成できるものとなる。ま
た、この受け部の一部または全体を、手動開閉式バルブ体の挿入部に設けた環状シール材
によって形成すれば、傾倒収納された飲料ボトルの荷重の受け止めと共に、この挿入部を
通した冷却室の冷気漏れ防止が安定化するものとなる。
【００２３】
第９発明では、第１発明乃至第８発明の効果に加えて、予備の飲料ボトルは、略垂直状
態に収納されるため、収納と取り出しがし易く、しかも、冷却室と予備冷却室の開口が、
１つの扉によって開閉できるため、構造的に簡素化され、且つ冷却室の飲料ボトルが空に
なったときの交換作業もし易く、しかも、冷却された予備の飲料ボトルの冷却室への装填
によって、直ぐに冷却された飲料の供給が可能となる。
【発明を実施するための最良の形態】
【００２４】
本発明の飲料供給機は、ＰＥＴ製等のボトル容器に飲料を収容した飲料ボトルが口を下側にし底を後方に位置させた状態で冷却室に傾倒収納され、前記飲料ボトルの口に取り付けた手動開閉式バルブ体の開成操作によって前記冷却室外に露出した飲料取り出し口から飲料供給が行われ、前記飲料取り出し口部分から落下する水滴を受ける水受け皿を備えた飲料供給機であって、前記冷却室内の水滴を前記冷却室の排水口から前記水受け皿へ導入する排水管を設け、前記冷却室を冷却する冷却器と前記水受け皿の水を加温蒸発させる放熱器を有する冷却装置を組み込んだものであり、以下に、本発明の実施例を記載する。
【実施例１】
【００２５】
本発明に係る飲料供給機の実施形態について説明する。図１は本発明に係る飲料供給機
の縦断側面図、図２は本発明に係る飲料供給機の分解斜視図である。図において、１は飲
料供給機であり、上部に冷却室３が形成され前面に飲料供給部３０を形成した飲料供給機
本体１Ａと、冷却室３の前側開口を開閉する扉７で構成している。飲料供給機本体１Ａに
は、ポリエチレンテレフタレート（以下、ＰＥＴ製という）等のボトル容器に飲料を収容した飲料ボトル２が、その口２Ａを下側にし、底を後方に位置させた状態で冷却室３に傾倒収納され、この状態で飲料ボトル２の口２Ａに取り付けた手動開閉式バルブ体４が飲料供給部３０に臨むように冷却室３外に露出している。飲料供給部３０において、手動開閉式バルブ体４の開成操作によって、冷却室３外に露出した飲料取り出し口５から飲料供給が行われる。飲料取り出し口５部分から落下する水滴等を受ける水受け皿６を下部に備えている。
【００２６】
冷却室３は、前側が飲料ボトル２の収納取り出し用扉７で覆われ下部に手動開閉式バル
ブ体４の挿入部８を備え、挿入部８に手動開閉式バルブ体４が挿入された状態で飲料ボト
ル２が後方へ傾倒状態で収納されるように後方に向けた傾斜をなすと共に、手動開閉式バ
ルブ体４の挿入部８から後方に向かって飲料ボトル２の肩部２Ｂを受け止める受け部９を
形成するように、断熱構成である。この断熱構成は、発泡ウレタン等の断熱材ＵＲが、内
殻４０Ａと外殻４０Ｂとの間に充填または装填された断熱構成である。
【００２７】
飲料ボトル２の収納取り出し用の扉７は、後方に向けた傾斜した冷却室３の前側部分を
開閉するように、上部の後部が飲料供給機１の本体１Ａにヒンジ装置２２によって回動可
能である。扉７は、透明性の合成樹脂で構成したものであってもよいが、扉７は冷却室３
の冷却温度維持のために、発泡ウレタン等の断熱材ＵＲを内殻４１Ａと外殻４１Ｂとの間
に充填または装填された断熱構成が好ましい。飲料ボトル２は内部の飲料の量が透視でき
る透明性の容器であり、冷却室３に収容した飲料ボトル２内の飲料の量が外部から透視で
きるように、扉７は、その一部に透明窓７Ａを備えている。この透明窓７Ａは、冷却室３
の冷却温度維持のために、複層ガラス構成の断熱構成が好ましい。
【００２８】
冷却室３に傾倒状態で収納された飲料ボトル２の肩部２Ｂに対応する冷却室３の底部（
実施例では受け部９に相当する）には、排水口１０が形成され、この排水口１０に集まる
冷却室３の結露水は、この排水口１０に連設した排水管１１によって水受け皿６へ導入さ
れる。飲料供給機本体１Ａは、冷却室３の後側に冷却装置１２を配置している。冷却装置
１２は、圧縮機１３で圧縮した冷媒が放熱器１４で放熱し減圧部１５で減圧され冷却室３
を冷却する冷却器１６で蒸発した後、再び圧縮機１３へ帰還する冷媒サイクルを構成し、
放熱器１４によって水受け皿６の水を加温蒸発させる構成である。清掃等のために水受け
皿６の出し入れがし易いようにするために、水受け皿６は前面から飲料供給機１の下部の
収納部２０へ左右のガイド部２１、２１に載せてスライド式に挿入することにより、放熱
器１４の上へ移動載置できる。水受け皿６の取り出しは、スライドにて引き出すことにて
行える。
【００２９】
冷却器１６は、図１及び図２で明らかなように、冷却室３に傾倒収納された飲料ボトル
２の後側部分（飲料ボトル２の斜め背面とその左右両側部分）を包むように、飲料ボトル
２の外形に近似した形状の表側の冷却面が冷却室３に露出しており、冷却器１６の後側（
背面側）が断熱材ＵＲで覆われた状態である。これによって、冷却室３に傾倒収納された
飲料ボトル２は、冷却器１６の冷却面に接触して冷却が促進されるため、冷却室３の冷気
循環用のファンを設けなくてもよい。
【００３０】
冷却室３に傾倒状態で収納された飲料ボトル２内の飲料は、手動開閉式バルブ体４の開
成操作によって自然落下でもって、手動開閉式バルブ体４の下部に一体形成した飲料取り
出し口５から、コップ載置部材１７に載せたコップ１８へ供給される。コップ載置部材１
７はスノコ状になっており、コップ１８から零れた飲料や、飲料取り出し口５から垂れる
飲料や、手動開閉式バルブ体４の外面に付着した結露水は、このコップ載置部材１７の排
水スリット１７Ａから下方の水受け皿６へ導入される。コップ載置部材１７は、取り外し
て洗浄できるように、飲料供給機１に着脱自在に取り付ける構成でもよいが、水受け皿６
に着脱自在に載置したスノコ板で構成してもよい。
【００３１】
水受け皿６へ導入された水は、放熱器１４の熱によって加温され蒸発が促進され水蒸気
となる。この水蒸気は、飲料供給機本体１Ａ内へ自然放出してもよいが、飲料供給機本体
１Ａ内へ放出すれば、飲料供給機１内の各部に水滴を生じ、これに黴等の発生やごみの付
着により不衛生になるため、実施例ではこれを防止する構成となっている。このため、図
示の構成では、この水蒸気を飲料供給機１の外へ導くために、コップ載置部材１７の奥側
で飲料供給機１内に位置する水受け皿６の上面は、カバー２５で覆われており、このカバ
ー２５を貫通した水蒸気排出管１９が飲料供給機１の天面を貫通して延びており、水受け
皿６内の水蒸気が水蒸気排出管１９にて飲料供給機１の上方空間へ放出される。水受け皿
６は、ガイド部２１、２１に載せてスライド式にて、カバー２５の下側へ挿入することが
できる。なお、圧縮機１３の熱の排出も含めて、飲料供給機本体１Ａの放熱が良好な構成
であれば、カバー２５と水蒸気排出管１９は省略することができる。
【００３２】
飲料ボトル２を冷却室３に傾倒状態に収納する前に、予め飲料ボトル２の口２Ａに手動
開閉式バルブ体４を取り付けた状態で、手動開閉式バルブ体４が挿入部８を通り抜けるよ
うに挿入して冷却室３に傾倒状態に飲料ボトル２を収納する。このため、手動開閉式バル
ブ体４の外形は、挿入部８を通り抜け得るような大きさの形態である。図示の手動開閉式
バルブ体４は、外形を小さくするためにバルブの開閉操作部４Ａは、使用者が指でボタン
部４Ｂを押すことによりバルブが開き、指で押している間に飲料が供給されるプッシュ式
を示している。この他に、手動開閉式バルブ体４は、使用者が持ったコップ１８で押すこ
とによりバルブが開く構成のものや、また使用者が指でレバーを左右方向へ回動させるこ
とによりバルブが開く構成のもの等、いろいろな形態の手動開閉式バルブ体４を適用する
ことができる。
【００３３】
また、飲料ボトル２の口２Ａがシール材で塞がれた状態の飲料ボトル２を採用し、この
飲料ボトル２をその口２Ａが挿入部８を通り抜けるように挿入して冷却室３に傾倒状態に
収納する。この状態で、飲料ボトル２の口２Ａの外周面に形成した螺旋部２Ｒへ、飲料供
給部３０側から手動開閉式バルブ体４を螺合させる。この螺合の最終段階において、飲料
ボトル２の口２Ａを塞いだ前記シール材を突き破る先鋭部を手動開閉式バルブ体４に形成
しておけば、この螺合によって、飲料ボトル２内から飲料取り出し口５に至る一連の飲料
通路が形成されることとなり、手動開閉式バルブ体４が無い分、飲料ボトル２のコスト低
下を図ることができる。
【００３４】
予め飲料ボトル２の口２Ａに手動開閉式バルブ体４を取り付けた場合と、飲料ボトル２
を冷却室３に傾倒状態に収納した後に手動開閉式バルブ体４を取り付ける場合のいずれに
おいても、冷却室３内の冷気漏れを防ぐために、挿入部８には弾力性の環状シール材２３
が取り付けられており、この環状シール材２３によって実質的に挿入部８が形成されてい
る。環状シール材２３は冷却室３側にのみ取り付ける構成でもよいが、図示のものは、環
状シール材２３は扉７側と冷却室３側に二分され、環状シール材２３を含めて手動開閉式
バルブ体４の部分では、扉７と冷却室３の分離ラインにおいて、扉７と冷却室３の接合に
よってシールされる。そして、飲料ボトル２を冷却室３に傾倒状態に収納したとき、飲料
ボトル２の口２Ａに近い側で肩部２Ｂによって、環状シール材２３が飲料ボトル２の荷重
によって押し圧状態となり、挿入部８における冷気漏れが良好にシールされる。
【００３５】
図示の構成では、例えば、３．７８Ｌ（リットル）の飲料を充填した飲料ボトル２の１
個が、その全体が飲料供給機本体１Ａ側にのみ形成した冷却室３内に入り込むように、冷
却室３の大きさが飲料供給機本体１Ａ側にのみ形成されており、扉７は冷却室３の開口を
開閉するのみである（例えば図１において、扉７の内殻４１Ａのラインが冷却室３の開口
端縁、即ち扉７と冷却室３の分離ラインとなるもの）が、図２に示すように挿入部８が扉
７と飲料供給機本体１Ａにて二分されるのではなく、挿入部８が扉７には形成されず飲料
供給機本体１Ａ側のみに形成されている構成とすれば、環状シール材２３の取り付けやそ
の保持の構成が簡素化される。
【００３６】
上記のように、飲料ボトル２が冷却室３に傾倒収納された状態で、その口２Ａに取り付
けた手動開閉式バルブ体４の飲料取り出し口５が冷却室３外に露出した状態であり、飲料
取り出し口５部分から落下する水滴を受ける水受け皿６へ冷却室３内の水滴が導入される
ようにしているため、冷却室３内へ収容された飲料ボトル２の外周に付着する水滴や冷却
室３内壁に付着した水滴は、水受け皿６へ導入され、冷却室３内を良好な状態に保つこと
ができる。そして、この水受け皿６へ溜まった水は、冷却装置１２の放熱器１４によって
加温蒸発するため、通常の使用状態では水受け皿６の水が溢れることもなく、水受け皿６
の排水の手間が省けると共に、水受け皿６を衛生的に維持することに適するものとなる。
【００３７】
また、飲料ボトル２が後方へ傾倒状態で収納される断熱構成の冷却室３の後方空間に、
圧縮機１３、冷却器１６及び水受け皿６の水を加温蒸発させる放熱器１４を含む冷却装置
１２が配置されることにより、飲料供給機１のコンパクト化が図れるものとなる。
【００３８】
更に、冷却室３に収容した飲料ボトル２の肩部２Ｂに対応する部分が、冷却室３の底部
９となるように冷却室３を形成すれば、飲料ボトル２の肩部２Ｂとその斜め上方後部が冷
却室３に載置されることとなり、冷却室３に安定した傾倒状態に収納できると共に、冷却
器１６と飲料ボトル２との接触維持も良好となり冷却効果も良好となる。また、冷却室３
の結露水の排水口１０を冷却室３に収容した飲料ボトル２の肩部２Ｂに対応する部分に形
成すれば、冷却室３の結露水を水受け皿６へ良好に排水できるものとなる。
【００３９】
また、冷却器１６の冷却面が、飲料ボトル２の外形に近似した形状で冷却室３に露出し
ており、その後側が断熱材ＵＲで覆われているため、冷却室３に収容された飲料ボトル２
を冷却器１６によって安定に支持できると共に、その支持状態でもって飲料ボトル２を広
い面から直接冷却できるものとなる。
【実施例２】
【００４０】
本発明は、図１において、冷却室３は、例えば、３．７８Ｌ（リットル）の飲料を充填
した飲料ボトル１個を収納する容積の縦長形態をなし、図３に示す扉７と同じ形状ではな
いが、図３に示す扉７と同様に、扉７はその周縁部の内側が飲料ボトルの前側部分（上側
部分）を覆うように上方へ窪んだ形態であり、扉７の周縁部が冷却室３の周縁部に当接し
、冷却室がその略半分ずつ飲料供給機本体１Ａ側と扉７側とで構成されたものである。こ
のため、図１において、挿入部８の中心部を通る直線状のＰＬラインが、冷却室３の開口
端縁、即ち扉７と冷却室３の分離ライン（扉７の周縁部と冷却室３の周縁部の当接部分）
となるものである。
【００４１】
これによって、扉７で開放される飲料供給機本体１Ａ側の冷却室３の部分は、傾倒収納
された飲料ボトル２の略半分の後側部分を包むように、飲料ボトル２の外形に近似した縦
長形態をなしたものであり、一方、傾倒収納された飲料ボトル２の略半分の前側部分を扉
７が包む形態である。この場合、冷却器１６は飲料供給機本体１Ａ側の冷却室部分に設け
られ、飲料ボトル２の後側部分を包むように飲料ボトル２の外形に近似した冷却面が冷却
室３に露出し、後側が断熱材ＵＲで覆われた状態である。また、環状シール材２３は扉７
側と冷却室３側に分離ラインＰＬで二分され、環状シール材２３を含めて手動開閉式バル
ブ体４の部分では、扉７と冷却室３の分離ラインＰＬにおいて、扉７と冷却室３の接合に
よってシールされる。
【００４２】
冷却室３の飲料供給機本体１Ａ側には、実施例１と同様に、手動開閉式バルブ体４の挿
入部８の後方部に、飲料ボトル２の肩部２Ｂを受け止める受け部９を形成している。また
、挿入部８が飲料供給機本体１Ａ側と扉７側と二分されるため、環状シール材２３は、飲
料供給機本体１Ａ側に取り付け保持した状態であり、扉７を閉じたとき、扉７が環状シー
ル材２３に当接して、この部分のシールが達成される構成である。
【００４３】
このように、冷却室３に傾倒収納された飲料ボトル２の略半分の前側部分を扉が包む形
態とすることにより、冷却室３を広く開放できるため、扉７を開いて行なう冷却室３への
飲料ボトル２の出し入れがし易くなる。そして、冷却器１６は飲料ボトル２の後側部分を
包むように飲料ボトル２の外形に近似した冷却面を形成しているため、飲料ボトル２の冷
却効果も良好となる。
【００４４】
また、冷却室３の容積が飲料ボトル１個を収納する縦長形態をなし、冷却器１６が飲料
ボトル２の後側部分を包む外形形状であるため、コンパクトな冷却室３でもって、飲料ボ
トル２を冷却器１６によって安定に支持できると共に、その支持状態でもって飲料ボトル
２を広い面から直接冷却できるものとなる。
【００４５】
更に、挿入部８における環状シール材２３による冷気漏れ防止が、図２のように、飲料
供給機本体１Ａ側と扉７側で略半分ずつ受け持つことにより、扉７の開閉もし易いものと
なる。また、手動開閉式バルブ体４の挿入部８の後方部に飲料ボトル２の肩部２Ｂを受け
止める受け部９を形成したことにより、この受け部９によって、冷却室３に傾倒収納され
た飲料ボトル２の斜め下方にかかる荷重を受けることができ、安定支持が達成できるもの
となる。また、受け部９の一部または全体を、手動開閉式バルブ体４の挿入部８に設けた
環状シール材２３によって形成すれば、傾倒収納された飲料ボトル２の荷重の受け止めと
共に、この挿入部８を通した冷却室３の冷気漏れ防止が安定化するものとなる。
【実施例３】
【００４６】
本発明は図３に示すように、冷却室３の後側に、予備の飲料ボトル２Ｐを略垂直状態に
収納する予備冷却室３Ｐを設け、扉７によって冷却室３の前側開口と予備冷却室３Ｐの上
面開口が開閉自在に閉じられる構成である。冷却室３の開口端縁、即ち扉７と冷却室３の
分離ラインと、予備冷却室３Ｐの上面開口端縁、即ち扉７と予備冷却室３Ｐの分離ライン
は、屈曲した連続の分離ラインＰＬ１であり、扉７は周縁部が飲料供給機本体１Ａ側に当
接し、その周縁部の内側が飲料ボトルの上側部分を覆うように上方へ窪んだ形態である。
このため、環状シール材２３は扉７側と冷却室３側に分離ラインＰＬ１で二分され、環状
シール材２３を含めて手動開閉式バルブ体４の部分では、扉７と冷却室３の分離ラインＰ
Ｌ１において、扉７と冷却室３の接合によってシールされる。
【００４７】
図３において、図１と同様部分には図１と同一符号を付している。予備冷却室３Ｐには
、飲料ボトル２Ｐの胴部の略全体を包むように冷却器１６Ｐが筒状に配置され、冷却器１
６Ｐは、飲料ボトル２Ｐの外形に近似した冷却面が冷却室３Ｐに露出し、その後側が断熱
材ＵＲＰで覆われた状態である。断熱材ＵＲＰは断熱材ＵＲと一連に形成されるように、
断熱材ＵＲとＵＲＰが内殻４０Ａと外殻４０Ｂとの間に充填または装填された断熱構成で
ある。冷却器１６Ｐは冷却器１６と並列接続し冷媒が冷却器１６Ｐと冷却器１６に並列に
流れる形態、または冷却器１６の下流に冷却器１６Ｐが直列接続されて、冷媒が冷却器１
６から冷却器１６Ｐへ直列に流れる形態でもって、前記冷媒サイクルを構成した冷却装置
１２の一部である。圧縮機１３は、外形が大きい場合は、点線１３Ｐで示す位置へ配置し
てもよい。
【００４８】
冷却室３の結露水は、図１に示すものと同様に、排水口１０から排水管１１を通って水
受け皿６へ導入される。また、予備冷却室３Ｐ内の結露水、即ち予備冷却室３Ｐの内壁や
予備の飲料ボトル２Ｐに付着した結露水は、予備冷却室３Ｐの底部に形成した排水口１０
Ｐから排水管１１Ｐを通って水受け皿６へ導入され、放熱器１４によって加温され蒸発す
る。この場合も、図１と同様に、カバー２５と水蒸気排出管１９を設けてもよい。
【００４９】
予備の飲料ボトル２Ｐにも手動開閉式バルブ体４を取り付けており、図３に示す手動開
閉式バルブ体４は、使用者が指でレバー４Ｌを左右方向へ回動させることによりバルブが
開く構成のものであり、手動開閉式バルブ体４は、飲料ボトル２及び予備の飲料ボトル２
Ｐに取り付けた状態で、挿入部８に挿通可能なサイズである。
【００５０】
このような構成において、予備の飲料ボトル２Ｐは、略垂直状態に収納されるため、収
納と取り出しがし易く、しかも、冷却室３と予備冷却室３Ｐの開口が、１つの扉７によっ
て開閉できるため、構造的に簡素化され、且つ冷却室３の飲料ボトル２が空になったとき
、冷却された予備の飲料ボトル２Ｐの装填によって直ぐに冷却された飲料の供給が可能と
なる。
【００５１】
図３の形態において、図１のものと同様に、冷却室３に収容した飲料ボトル２内の飲料
の量が外部から透視できるようにするためには、扉７は、その一部に透明窓７Ａと同様の
透明窓を形成し、この透明窓を冷却室３の冷却温度維持のために複層ガラス構成の断熱構
成とすればよい。
【産業上の利用可能性】
【００５２】
飲料供給機１は上記実施例に示した構成に限定されず、種々の形態のものに適用できる
ものであり、本発明の技術範囲において種々の形態を包含するものである。
【図面の簡単な説明】
【００５３】
【図１】本発明に係る飲料供給機の縦断側面図である。（実施例１）（実施例２
【図２】本発明に係る飲料供給機の分解斜視図である。（実施例１）
【図３】本発明に係る他の形態の飲料供給機の縦断側面図である。（実施例３）
【符号の説明】
【００５４】
１・・・・飲料供給機
１Ａ・・・飲料供給機本体
２・・・・飲料ボトル
２Ｂ・・・飲料ボトルの肩部
２Ｐ・・・予備の飲料ボトル
３・・・・冷却室
３Ｐ・・・予備冷却室
４・・・・手動開閉式バルブ体
５・・・・飲料取り出し口
６・・・・水受け皿
７・・・・扉
７Ａ・・・透明窓
８・・・・挿入部
９・・・・受け部
１０・・・排水口
１０Ｐ・・排水口
１１・・・排水管
１１Ｐ・・排水管
１２・・・冷却装置
１３・・・圧縮機
１４・・・放熱器
１５・・・減圧部
１６・・・冷却器
１６Ｐ・・冷却器
１７・・・コップ載置部材
１８・・・コップ
２５・・・カバー
１９・・・水蒸気排出管
２３・・・環状シール材
３０・・・飲料供給部
【図１】
2009154917.tif 000003
【図２】
2009154917.tif 000004
【図３】
2009154917.tif 000005